(57)【特許請求の範囲】
【請求項１】
窓枠の一端辺まわりに障子が開閉可能に保持された窓の開閉操作装置であって、
ワイヤを巻き取りおよび繰り出し可能で、回転規制可能なドラムを有し、このドラムの回転軸が窓の幅方向に沿うように窓枠または障子に設けられる装置本体と、
障子が閉じられた状態において、窓枠と障子との間の空間部に配置されるように窓枠または障子に保持され、窓枠または障子に形成された穴に通された前記ワイヤが掛けまわされる転向滑車と、
障子が閉じられた状態において、窓枠と障子との間の空間部に配置されるように窓枠または障子に保持され、前記ワイヤが前記転向滑車に掛けまわされ窓枠に先端部が保持されるまでの間に掛けまわされる複数の滑車とを備え、
前記転向滑車は、ケース内に回転可能に保持されており、このケースが、窓枠または障子の前記穴を覆うように、窓枠または障子に取り付けられる
ことを特徴とする窓の開閉操作装置。
【発明の詳細な説明】
【技術分野】
【０００１】
本発明は、内倒し窓、外倒し窓、突出し窓および横開き窓などの開閉窓に取り付けられる窓の開閉操作装置に関するものである。特に、排煙窓や換気窓に使用される窓の開閉操作装置に関するものである。
【背景技術】
【０００２】
ビルなどの建物には、火災時に煙を外へ排出したり、空気を入れ換えたりするために、図２６に示すような窓３００が設けられている。この窓３００は、通常の窓より高い位置に設けられており、窓３００を開閉操作する装置が設けられている。
従来の開閉操作装置は、窓３００を開閉するためのワイヤＷを巻き取ったり繰り出したりするドラムを有する装置本体３０１が壁面に固定されており、装置本体３０１のボタンＢやハンドルＨＤの操作により窓の開閉操作が行われる。
【発明の開示】
【発明が解決しようとする課題】
【０００３】
しかしながら、従来の開閉操作装置の場合、建物を建設中にまず窓３００を壁の開口部に設置し、その後、装置本体３０１を壁面に取り付け、ワイヤＷを窓３００に設けられた滑車Ｐ１,Ｐ２,Ｐ３に掛けまわしていた。そのため、装置本体３０１の壁面への取付工事が大変であるだけでなく、窓３００の取り付けと、開閉操作装置の取り付けを別々に行う必要があり、多大な手間と費用を要した。
また、建設現場においては、窓の取付工事をする時点で、壁面が仕上がっていない場合が多く、窓３００を取り付けることができても開閉操作装置を取り付けられない場合があり、工期を延ばす原因となっていた。
【０００４】
また、従来の開閉操作装置の場合、壁面に取り付けられた装置本体３０１からワイヤＷを窓の滑車に掛けまわすまでの距離が長くなり、現場ごとに取付精度にバラつきが生じ、窓の開閉に支障がでるおそれがあった。
さらに、従来の開閉操作装置の場合、ワイヤＷを装置本体３０１から窓３００の滑車へ掛けまわすまでの間、ワイヤＷをチューブ状のアウターに通し、さらに複数箇所において滑車Ｃなどにより屈曲させることがある。このような場合、アウターとワイヤＷとの摩擦抵抗が大きくなり、窓を開閉するのに大きな力が必要となっていた。
【０００５】
本発明が解決しようとする課題は、壁の開口部に取り付けられる窓に予め取り付けておくことが可能な窓の開閉操作装置を提供することにある。
【課題を解決するための手段】
【０００６】
本発明は、前記課題を解決するためになされたものであり、請求項１に記載の発明は、窓枠の一端辺まわりに障子が開閉可能に保持された窓の開閉操作装置であって、ワイヤを巻き取りおよび繰り出し可能で、回転規制可能なドラムを有し、このドラムの回転軸が窓の幅方向に沿うように窓枠または障子に設けられる装置本体と、障子が閉じられた状態において、窓枠と障子との間の空間部に配置されるように窓枠または障子に保持され、窓枠または障子に形成された穴に通された前記ワイヤが掛けまわされる転向滑車と、障子が閉じられた状態において、窓枠と障子との間の空間部に配置されるように窓枠または障子に保持され、前記ワイヤが前記転向滑車に掛けまわされ窓枠に先端部が保持されるまでの間に掛けまわされる複数の滑車とを備え、前記転向滑車は、ケース内に回転可能に保持されており、このケースが、窓枠または障子の前記穴を覆うように、窓枠または障子に取り付けられることを特徴とする窓の開閉操作装置である。なお、ワイヤには、文字通りワイヤの他、紐状部材やピアノ線材などが含まれる。
【発明の効果】
【００１０】
本発明の窓の開閉操作装置によれば、窓を建物の壁の開口部に取り付ける前に、予め工場などで窓に取り付けておくことができ、窓を建物に取り付けることで装置の取り付けも完了する。従って、装置の取付作業が容易であり、建物の工期の大幅な短縮も図れる。また、装置の取付精度を高めることができ、安定した作動性能で耐久性に優れた装置を提供することができる。
【発明を実施するための最良の形態】
【００１１】
以下、本発明の窓の開閉操作装置について、図面に基づき詳細に説明する。
ここでは、本発明の窓の開閉操作装置が、排煙窓に適用される場合について説明する。
【００１２】
排煙窓は、建物の壁の開口部に固定される矩形枠状の窓枠と、この窓枠の中央開口部を閉塞可能に設けられる矩形板状の障子とを有する。
排煙窓は、窓枠に対する障子の開閉方式によって、内倒し式、外倒し式、および突出し式などに分けられる。内倒し式の排煙窓は、障子の下端辺が窓枠の下端辺に回転可能に保持され、障子を閉じた状態から室内側へ傾倒させて開放する。また、外倒し式の排煙窓は、障子の下端辺が窓枠の下端辺に回転可能に保持され、障子を閉じられた状態から室外側へ傾倒させて開放する。また、突出し式の排煙窓は、障子の上端辺が窓枠の上端辺に回転可能に保持され、障子を閉じた状態から室外側へ傾倒させて開放する。
本実施例の窓の開閉操作装置は、上記各排煙窓に適用可能である。まず、本実施例の窓の開閉操作装置が、内倒し式の排煙窓に適用される場合について説明する。
【００１３】
図１〜図４は、本発明の窓の開閉操作装置の一実施例の使用状態を示す図であり、内倒し式排煙窓への取付状態を示しており、図１は、障子が開放した状態を示す概略斜視図、図２は、障子が閉じられた状態の縦断面図、図３は、その横断面図であり、図４は、障子が開放した状態を示す縦断面図である。
また、図５は、図２の主要部を示す拡大図であり、図６は、図３の主要部を示す拡大図である。
【００１４】
本実施例の窓の開閉操作装置が取り付けられる内倒し式の排煙窓は、建物などの壁の開口部に固定される矩形枠状の窓枠１と、この窓枠１に回転可能に保持される矩形板状の障子２とを有する。
窓枠１は、左右に離間して配置される一対の縦枠３，４と、この縦枠３，４の上端部同士を連結する上枠５と、縦枠３，４の下端部同士を連結する下枠６とを有する。
上枠５は、左右方向（窓の幅方向）に沿って配置される矩形板状の水平片５ａと、この水平片５ａの室外側端部から下方へ延出する延出片５ｂとを有する。
また、各縦枠３，４は、上下方向に沿って配置される矩形板状の垂直片３ａ，４ａと、この垂直片３ａ，４ａの室外側端部から左右方向内側へ突出する延出片３ｂ，４ｂとを有し、上枠５の水平片５ａと各縦枠３，４の垂直片３ａ，４ａ、および上枠５の延出片５ｂと各縦枠３，４の延出片３ｂ，４ｂは連続して設けられている。
【００１５】
障子２は、矩形枠状の框７を有し、この框７は、左右に離間して配置される一対の縦框９，１０と、この縦框９，１０の上端部同士を連結する上框１１と、縦框９，１０の下端部同士を連結する下框１２とを有する。
また、上框１１は、左右方向に沿って配置される矩形板状の水平片１１ａと、この水平片１１ａの室内側端部から上方へ延出する延出片１１ｂとを有する。
さらに、各縦框９，１０は、上下方向に沿って配置される矩形板状の垂直片９ａと、この垂直片９ａの室内側端部から左右方向外側へ延出する延出片９ｂとを有し、上框１１の水平片１１ａと各縦框９，１０の垂直片９ａ、および上框１１の延出片１１ｂと各縦框９，１０の延出片９ｂは連続して設けられている。
そして、框７の中央開口部には、ガラス板８がはめ込まれて設けられている。
【００１６】
障子２は、その下框１２が、窓枠１の下枠６にヒンジ部Ｈにより回転可能に保持されており、窓枠１の開口部を閉塞した図２や図３の状態から、図１や図４に示すように、室内側へ傾倒可能とされる。
また、窓枠１の室内側端部の周縁には、パッキンＰが環状に設けられており、障子２が閉じられた際に、障子２の各延出片９ｂ，１１ｂの先端部がパッキンＰに当接することで、水密性や気密性が保たれる。
【００１７】
このような構成の本実施例の排煙窓は、窓枠１の開口部を閉鎖するように障子２が配置されて窓が閉じられた状態において、障子２の上框１１と窓枠１の上枠５との間、および障子２の各縦框９，１０と窓枠１の各縦枠３，４との間に空間部が形成される。
つまり、障子２が閉じられた状態では、図５に示すように、障子２の上框１１の水平片１１ａ、上框１１の延出片１１ｂ、窓枠１の上枠５の水平片５ａ、および上枠５の延出片５ｂにより囲まれた矩形状の空間部が左右方向（窓の幅方向）に沿って現出する。また、障子２が閉じられた状態では、障子２の各縦框９，１０の垂直片９ａ、各縦框９，１０の延出片９ｂ、窓枠１の各縦枠３，４の垂直片３ａ，４ａ、および各縦枠３，４の延出片３ｂ，４ｂにより囲まれた矩形状の空間部が上下方向に沿って現出する。
このように、障子２が閉じられた状態では、障子２の上框１１と窓枠１の上枠５との間、および障子２の各縦框９，１０と窓枠１の各縦枠３，４との間に空間部が形成され、これらの各空間部は連続している。
【００１８】
本実施例の排煙窓には、窓枠１に対して障子２を開放させる機構としてダンパ１５が設けられている。
ダンパ１５は、シリンダ１６とロッド１７とからなり、本実施例では、ダンパ１５は、排煙窓の左右両側にそれぞれ取り付けられる。この際、図２および図４に示すように、シリンダ１６の上端部が、縦枠３，４に設けられたブラケットＢ１に回転可能に取り付けられ、ロッド１７の下端部が、障子２の縦框９，１０に設けられたブラケットＢ２に回転可能に取り付けられる。
【００１９】
本実施例の窓の開閉操作装置は、ワイヤＷを巻き取りおよび繰り出し可能なドラム５０を有する装置本体２１と、この装置本体２１から導出されるワイヤＷが掛けまわされる転向滑車７４と、この転向滑車７４から導出されるワイヤＷが掛けまわされる滑車８１，８２，８３とを有する。
【００２０】
図７は、本実施例の窓の開閉操作装置の装置本体を示す縦断側面図、図８は、図７のＡ−Ａ断面図であり、巻取回転伝達機構等を示しており、図９は、図７のＢ−Ｂ断面図であり、回転方向規制機構等を示している。また、図１０（ａ）は、図７の正面図であり、図１０（ｂ）は、そのＣ―Ｃ断面図であり、一部を省略して示している。
【００２１】
装置本体２１は、ケース２２に複数の軸３０，３４，４９を平行に軸支しており、軸３０には歯車３１，３２が、軸３４には歯車３５，３６が設けられる。また、ケース２２内には、巻取回転伝達機構３７、回転方向規制機構４５、ワイヤ巻取ドラム５０、ブレーキ機構５３および巻き上げ解除手段５８等が設けられている。
【００２２】
ケース２２は、ベース２３、保持プレート２４からなり、カバー２５によって保護されている。ベース２３は、図７、図９に示すように、底面２３ａの上部側に円形の凹所２３ｂが凹設され、この凹所２３ｂの中心と、底面２３ａの下部側とに複数の軸穴が形成されている。また、このベース２３の各コーナーには、障子または窓枠への取付け孔２３ｆが形成されている。
さらに、図８に示すように、ベース２３には、その上面の中央部と左右両側面の上部にそれぞれワイヤ挿通用の開口２３ｄが形成されており、左右両側面の下部には、後述するクラッチ部材４６を回動操作させるドライバー等の挿入用の開口２３ｅが形成されている。
【００２３】
保持プレート２４は、図８に示す状態において、下部の中央の軸穴を中心とした左右両側に、上下に長い略楕円形の一対のガイド穴２４ａ，２４ｂを形成している。また、この保持プレート２４の各コーナーにも、ネジ挿通孔が形成されている。
なお、カバー２５には、図１０に示すように、保持プレート２４の一対のガイド穴２４ａ，２４ｂに対応した位置に、穴２５ａ，２５ｂが形成されている。
【００２４】
チェーンホイール２６は、図７および図１０に示すように、円盤状で凹状溝２６ａにエンドレスのボールチェーン２７が巻回されている。
ホルダー２８は、中心に軸穴を形成しガード２９を一体形成している。このガード２９は、略Ｌ字状でチェーンホイール２６の上部を覆っている。
このように、ガード２９によりチェーンホイール２６の上部を覆うことによって、ボールチェーン２７がチェーンホイール２６から離脱することを防止している。
【００２５】
図７に示すように、駆動軸３０は、中間部が六角軸に形成され、一端３０ａがベース２３の軸穴に軸支される一方、他端３０ｂが保持プレート２４の軸穴に軸支されている。また、駆動軸３０は、この他端側先端部３０ｄを外方に突出させてチェーンホイール２６の軸穴にはめ込んでネジ３０ｃによりチェーンホイール２６と連結されている。
そして、駆動軸３０は、その一端３０ａ側に六角軸穴を有する爪歯車３１を嵌合し、この爪歯車３１に隣接して六角軸穴を有する駆動歯車３２を嵌合してある。なお、この駆動歯車３２と他端までの間にはスリーブ３３を設けている。
伝達軸３４も中間部が六角軸とされ、その両端部がそれぞれベース２３の軸穴と保持プレート２４の軸穴とに軸支されている。そして、伝達軸３４は、その一端３４ａ側に六角軸穴を有する主伝達歯車３５が固着され、前記駆動歯車３２に噛合して連動するようになっている。
また、他端３４ｂ側には副伝達歯車３６が固着されている。さらに、この副伝達歯車３６に隣接して巻取回転伝達機構３７の回動リンク板３８が伝達軸３４を中心に回動自在に設けられている。
【００２６】
巻取回転伝達機構３７は、図７、図８に示すように、回動リンク板３８、左右の短軸３９，４０、左右の回動歯車４１，４２および鍔部４３，４４等を備えて構成されている。
回動リンク板３８は、図８に示す状態において左右に細長で、中央に軸穴を形成し、左右両端に軸孔を形成している。そして、中央の軸穴に前記伝達軸３４を回転可能に挿入し、左右の各軸孔には左右の短軸３９，４０を回転可能に軸支してある。
これら短軸３９，４０は、各一端を前記保持プレート２４のガイド穴２４ａ，２４ｂ内に臨ませており、回動リンク板３８の時計方向または反時計方向への回動に応じて各ガイド穴２４ａ，２４ｂ内を上方向または下方向に移動可能となっている。
【００２７】
左右の回動歯車４１，４２は、各短軸３９，４０の中央に回転可能に軸支されており、前記副伝達歯車３６と相互に噛合して副伝達歯車３６に連動して回転可能になっている。
一方、左右の鍔部４３，４４は、図１１に示すように、左右の回動歯車４１，４２と小間隙４３ａ，４４ａをあけて各短軸３９，４０の一端側に一体形成されている。そして、各小間隙４３ａ，４４ａには、波形のバネワッシャ２１１，２２１を介設してある。
ところで、ボールチェーン２７が引っ張り操作されてチェーンホイール２６が回転すると、駆動軸３０が回転し駆動歯車３２に主伝達歯車３５が連動する。
これに伴い、副伝達歯車３６が回転すると、左右の回動歯車４１，４２も連動するが、鍔部４３，４４との間にバネワッシャ２１１があるために、摩擦抵抗が生じて回動歯車４１，４２に先んじて回動リンク板３８が先に伝達軸３４を支点に揺動される状態となり、回動リンク板３８は副伝達歯車３６の回転方向に揺動する。
すると、後述するワイヤ巻取ドラム５０のギヤ５２ａに左または右の回動歯車４１，４２が噛合い、ワイヤ巻取ドラム５０が連動して回転する。
【００２８】
回転方向規制機構４５は、図７、図９に示すように、クラッチ部材４６、クリック作動部４７およびクリック部材４８等を備えて構成されている。
クラッチ部材４６は、細長の略扇状板体で、中心に軸穴が形成され内周部（図９の下側）の左右両端縁に爪部４６ａ，４６ｂを突設してある。このクラッチ部材４６は、伝達軸３４の同心軸上に回動自在に設けられている。
また、クリック作動部４７は、鋭角の突状部４７ａを有したもので、これがクラッチ部材４６の内周部の中央から図７の右方に突出するように、クラッチ部材４６の裏面に一体形成されている。
【００２９】
クリック部材４８は、細幅の板バネなどの弾発性部材であり、先端４８ａ側をへ字状に屈曲し後端４８ｂを支持部４８ｃに支持してある。
このクリック部材４８は、先端４８ａがクリック作動部４７の突状部４７ａに当接して押圧力を付勢するように、クラッチ部材４６の長さ方向に沿って延出されている。
このように、クリック作動部４７には、常時押圧力が付勢されるので、開口２３ｅからドライバー等を挿入して、図８および図９に示すように、クラッチ部材４６を反時計方向に回動させた状態では、クリック作動部４７の突状部４７ａがクリック部材４８の後端４８ｂ寄りに位置し、クラッチ部材４６を図９の状態に安定保持している。
一方、クラッチ部材４６を時計方向に回動させた状態では、クリック作動部４７の突状部４７ａがクリック部材４８の先端４８ａ側に位置し、クラッチ部材４６を時計方向に回動させた状態で安定保持させる。
【００３０】
そして、図９に示すように、クラッチ部材４６を反時計方向に回動させた状態では、左側爪部４６ａが常に爪歯３１ａに噛合っているので、爪歯車３１は時計方向には回らず、反時計方向にのみ回る。
逆にクラッチ部材４６を時計方向に回動させた場合には、右側爪部４６ｂが爪歯３１ａに噛合うので、爪歯車３１は反時計方向には回らず、時計方向にのみ回る。
【００３１】
なお、クラッチ部材４６を時計方向またはその逆に回動させる場合は、左右の開口２３ｅからドライバーなどを挿入して、クラッチ部材４６の外周部の左もしくは右側を押圧すればよい。こうすると、クリック作動部４７の突状部４７ａがクリック部材４８の先端４８ａを強制的に乗り越えて後端４８ｂ寄りまたは先端４８ａ側の何れかに位置する。
【００３２】
ワイヤ巻取ドラム５０は、図７に示すように、ドラム軸５００の一端５０ａに四角形の軸孔を設け、連動軸４９を構成する四角形の軸を嵌合している。そして、この四角形の軸の一端（連動軸４９の一端４９ａ）をベース２３の軸穴に軸支する一方、連動軸４９の他端４９ｂをドラム軸５００の一端５０ａに嵌合し、ドラム５０の他端５０ｂを保持プレート２４の軸穴に軸支して、回転自在に支持している。
また、ワイヤ巻取ドラム５０の一端側には、凹所５０ｃが形成されており、この凹所５０ｃの内周縁とベース２３に突設した周壁２３ｃの外周との間に、合成樹脂材からなる摺動用部材５１を介設してある。
さらに、ワイヤ巻取ドラム５０の他端５０ｂ側には、段差部５０ｄを設けて３本のネジ５２ｂにより円板５２を固着している。
この円板５２は、外周にギヤ５２ａを形成してあり、このギヤ５２ａに前記左右の回動歯車４１，４２の何れかが噛合うことで、左右何れかの回動歯車４１，４２の回転に連動してワイヤ巻取ドラム５０が回転する。
図８および図９に示す状態では、上述したように、ボールチェーン２７を矢印方向に引張り操作することで、歯車３２，３５を介して歯車４１が反時計方向に回転し、これによりドラム５０が時計方向に回転してワイヤＷを巻き取って障子を閉塞する。
なお、このワイヤ巻取ドラム５０は、ドラム内にワイヤＷの一端を止着する止着部５０ｅが形成されており、図８に示す状態においては、ワイヤ巻取ドラム５０の時計方向の回転でワイヤＷが巻き取られて障子が閉塞する一方、反時計方向の回転でワイヤＷが繰り出されて障子が開放する。
【００３３】
ブレーキ機構５３は、図９に示すように、ワイヤ巻取ドラム５０内にゴムなどの摩擦抵抗の大きい材料によりなるブレーキ部材５４、一対の制動部材５５，５６、引張バネ５７等を収納して構成されている。
ブレーキ部材５４は、断面略矩形の円環状とされ、ベース２３の周壁２３ｃの内周面に当接して設けられている。
【００３４】
制動部材５５，５６は、上端に一対のストッパー５５ａ，５６ａおよびピン５５ｂ，５６ｂを突設する一方、下端に支軸５５ｃ，５６ｃを形成し、外周面の一部に波形の制動面５５ｄ，５６ｄを形成してある。
この両制動部材５５，５６は、その制動面５５ｄ，５６ｄが前記ブレーキ部材５４の内周面５４ａに対向するように、その各支軸５５ｃ，５６ｃが、連動軸４９に取り付けられたブレーキ板６４の穴にそれぞれ回転可能にはめ込まれている。そして、各ピン５５ｂ，５６ｂに引張バネ５７の各端部を掛止している。
これにより、両制動部材５５，５６は、常態では、上部のストッパー５５ａ，５６ａ同士が当接するように引張バネ５７により付勢され、制動面５５ｄ，５６ｄがブレーキ部材５４の内周面５４ａと非接触状態に保たれている。
一方、このワイヤ巻取ドラム５０が、ワイヤＷの繰り出しによりある程度高速で回転すると、遠心力により制動部材５５，５６が引張バネ５７の引っ張り力に勝ってブレーキ部材５４の内周面５４ａに制動面５５ｄ，５６ｄが接触する方向に回動し、ブレーキ部材５４と制動面５５ｄ，５６ｄの摩擦抵抗により制動される。このため、ワイヤ巻取ドラム５０の不測の高速回転が抑制されるものである。
【００３５】
巻き上げ解除手段５８は、図７、図１０に示すように、アングル５９、板バネ６０、レバー６１、ロープＬおよびロープＬの端部に連結された把手６２を有する。ワイヤを巻き取って障子を閉めるときは、上述したように、ボールチェーン２７によりワイヤ巻き取りドラム５０を図８〜図１０に示す状態において時計方向に回転させてワイヤを巻き取ればよい。そして、障子を開放するときは後述するように把手６２を介してロープＬを引っ張ればよい。なお、巻き上げ解除手段５８は、装置本体２１が左縦枠や左縦框に取り付けられるか、右縦枠や右縦框に取り付けられるかに応じて取り付け位置を変更可能としている。
【００３６】
アングル５９は、所用の長さを有したＬ字状の板体で、上端側に軸取付穴５９ａを設け、下端は図７の右方向に延出させている。
アングル５９は、その軸取付穴５９ａからネジ５９ｂが、前記左または右回動歯車４１，４２の短軸３９，４０の先端部にカバー２５の穴２５ａ，２５ｂを介してねじ込まれて、短軸３９，４０に回転可能に取り付けられる。
このようにアングル５９が取り付けられた状態では、アングル５９の下端の延出部５９ｃがケース２２の下面に小間隙をあけて位置し、レバー６１や板バネ６０と連結可能となる。
この板バネ６０は、略Ｓ字状に屈曲しており、他端６０ｂでアングル５９の延出部５９ｃを載置可能なように、一端６０ａをケース２２の下面にネジで固定している。
【００３７】
レバー６１は、方形の上部６１ａがアングル５９の延出部５９ｃに連結され、下端６１ｂに小孔６１ｃを設けてある。そして、この小孔６１ｃにロープＬを挿通して掛止し、このロープＬを垂れ下げている。
この巻き上げ解除手段５８は、装置本体２１を右縦枠や右縦框に取り付けて使用する場合、図８に示す左の回動歯車４１の短軸３９にアングル５９の軸取付穴５９ａを嵌着する。また、装置本体２１を左縦枠や左縦框に取り付けて使用する場合は、右の回動歯車４２の短軸４０にアングル５９を取り付ける。
図８や図１０に示すように、アングル５９が左の回動歯車４１の短軸３９に取り付けられている場合、ロープＬの下端に取り付けた把手６２を引くと、左の回動歯車４１の短軸３９が下方に移動するので、左の回動歯車４１とワイヤ巻取ドラム５０のギヤ５２ａとの噛合が外れる。これにより、ワイヤ巻取ドラム５０がフリーな状態となり、予め巻回されているワイヤＷがダンパの弾発力により引っ張られて繰り出される。
【００３８】
このような構成の装置本体２１は、本実施例では、図１および図２に示すように、取付部材７０を介して障子２の右縦框１０に固定される。
取付部材７０は、矩形状の板片を屈曲して形成された略Ｌ字形材とされ、障子２の右縦框１０の上端部室内側面に固定される矩形板状の一片７１と、この一片７１の右端部から室内側へ延出する矩形板状の他片７２とを有する。
【００３９】
装置本体２１は、そのドラム軸５００を窓の幅方向（図３において左右方向）に沿うように配置されて、取付部材７０の他片７２に固定される。
この際、装置本体２１のベース２３の底面２３ａが、図３に示す状態において、取付部材７０の他片７２の左端面に当接され、取付部材７０からベース２３の取付孔２３ｆにネジがねじ込まれて取付部材７０に装置本体２１が固定される。
【００４０】
ところで、装置本体２１を排煙窓に取り付ける際、左縦框９か右縦框１０かのいずれかに取り付けるかに応じて予め若干の準備をしておく。本実施例では、装置本体２１は、右縦框１０に取り付けられるので、右縦框に取り付ける場合について説明する。
図１〜図６に示すように、装置本体２１を右縦框１０に取り付ける際は、まず、ベース２３の左側壁の開口２３ｅからマイナスドライバー等を挿入し、クラッチ部材４６を押圧して反時計方向に回動させ、左側の爪部４６ａを爪歯車３１の爪歯３１ａに噛合させておく。
また、巻き上げ解除手段５８は、アングル５９をネジ５９ｂにより左の回動歯車４１の軸３９に取り付ける。すなわち、図１０に示す状態において、巻き上げ解除手段５８を装置本体２１の左側に取り付ける。
そして、装置本体２１を取付部材７０に固定し、ワイヤ巻取ドラム５０に巻回されたワイヤＷの端部を図８においてベース２３の左側壁の開口２３ｄから引き出し、後述するように、転向滑車７４に掛けまわす。
【００４１】
転向滑車７４は、図１，図３に示すように、室内側から見て障子２の右上角部に取り付けられ、装置本体２１と前後に離間して設けられる。
本実施例では、転向滑車７４は、ケース７５内に回転可能に保持されて、障子２に設けられる。具体的には、ケース７５は、略矩形の中空ボックス状とされ、対面する壁面間に軸７６が架け渡されており、この軸７６に転向滑車７４が回転可能に保持されている。
ケース７５は、その一側面が、障子２の上框１１の延出片１１ｂの右端部室外側面に当接されてネジにより障子２に固定される。
この際、滑車７４の軸７６が上下方向に沿うように、障子２にケース７５が取り付けられる。なお、図示例では、ケース７５の一側面の一端部は、左右方向外側へ板状に突出している。
【００４２】
そして、本実施例では、図１および図３に示すように、障子２の上框１１の左右方向略中央部に二つの滑車８１，８２が左右に離間して設けられ、上枠５の左右方向中央部に滑車８３が一つ設けられ、障子２が閉じられた状態では、図３に示すように、上框１１の二つの滑車８１，８２間に、上枠５の滑車８３が配置される。
【００４３】
図１２は、滑車を示す図であり、（ａ）はその斜視図、（ｂ）は縦断面図である。
本実施例では、滑車８１，８２，８３は、図１２に示すように、保持部材１３１にプーリ１４０が回転可能に保持された構成とされ、この保持部材１３１が上框１１または上枠５に固定されている。
【００４４】
保持部材１３１は、図１２に示すように、プーリ１４０を回転可能に保持する保持部１３２と、この保持部１３２を回転可能に保持するベース１３３とを有する。
保持部１３２は、略コ字形状とされ、図示例では、その開放両端片１３２ａ，１３２ａの各中央部が略半円形状に突出している。
また、保持部１３２の両端部には、図１２において左右方向外側へ突出して短円筒状の軸部１３４が一体に設けられている。そして、この一対の軸部１３４の中央穴１３４ａは、保持部１３２のコ字状溝１３２ｂと連通している。
プーリ１４０は、保持部１３２の開放両端片１３２ａ，１３２ａ間に配置されて、開放両端片１３２ａ，１３２ａを架け渡す軸１３５に回転可能に保持されている。
【００４５】
ベース１３３は、一対のベース脚部１３６，１３６と、このベース脚部１３６が固定されるベース板１３７とを有する。ベース脚部１３６は、略Ｌ字形状とされ、その一片１３６ａには円形の貫通穴１３６ｂが形成されている。また、ベース板１３７は、矩形状の板片とされ、図１２（ａ）において、その左右両端部には、それぞれ矩形状の突出片１３７ａが前後方向外側へ突出して形成されている。
【００４６】
保持部１３２は、一対のベース脚部１３６，１３６の一片１３６ａ，１３６ａ間に挟み込まれて配置され、その軸部１３４が、ベース脚部１３６の一片１３６ａの貫通穴１３６ｂに回転可能にはめ込まれる。この際、保持部１３２の軸部１３４と、ベース脚部１３６の貫通穴１３６ｂとの間には、樹脂製のツバ付き略円筒状の軸受１３８が介在される。
そして、ベース脚部１３６の他片１３６ｃがベース板１３７に重ね合されて、図１２（ａ）において、前後の突出片１３７ａ，１３７ａで、ベース脚部１３６の他片１３６ｃをかかえ込むように、突出片１３７ａがかしめられる。これにより、一対のベース脚部１３６とベース板１３７は一体化される。
【００４７】
なお、滑車８１（８２，８３）は、たとえば、図１２（ａ）に示すように、ｍとｎを通るようにプーリ１４０にワイヤＷを掛けまわすことが可能である。また、ｍからワイヤＷを通してプーリ１４０に掛けまわし、一方の軸部１３４の中央穴１３４ａを通してｐの方向に導出させることが可能であり、同様に、ｎからワイヤＷを通してプーリ１４０に掛けまわし他方の軸部１３４の中央穴１３４ａを通してｏの方向に導出させることも可能である。
【００４８】
本実施例では、各滑車８１，８２，８３は、保持部材１３１の軸部１３４の軸線が窓の幅方向（図３において左右方向）に沿うように、ベース１３３が上框１１の延出片１１ｂの室内側面または上枠５の延出片５ｂの室外側面に当接されて固定されることで、上框１１および上枠５に滑車８１，８２，８３がそれぞれ設けられる。
【００４９】
本実施例では、転向滑車７４および各滑車８１，８２，８３は、障子２が閉じられた状態において、図２および図３に示すように、窓枠１の上枠５と障子２の上框１１とで形成される空間部に配置される。
【００５０】
装置本体２１のワイヤ巻取ドラム５０に巻かれたワイヤＷは、障子２の上框１１の延出片１１ｂの右端部に形成された穴２ａおよびケース７５の穴７５ａに通されて、転向滑車７４に掛けまわされる。
具体的には、図５および図６に示すように、上框１１の延出片１１ｂの右端部に、前後方向（室内外方向）に沿って貫通穴２ａが形成されており、この貫通穴２ａと連通するように、ケース７５の一側面に貫通穴７５ａが形成されている。つまり、一側面に貫通穴７５ａが形成されたケース７５は、その貫通穴７５ａが障子２の貫通穴２ａと連通するように、障子２に取り付けられる。
なお、取付部材７０の一片７１にも障子２の貫通穴２ａに対応した位置にワイヤＷが通される貫通穴７１ａが形成されている。
【００５１】
転向滑車７４に掛けまわされたワイヤＷは、ケース７５に設けられたアウター７７に通されて、図３および図６に示す状態において、ケース７５から左側へ導出される。
アウター７７は、細長いチューブ状とされ、その一端部がケース７５に固定されケース７５の中空部と連通しており、他端部がケース７５から図３および図６において左側へ延出している。
【００５２】
アウター７７から延出したワイヤＷは、窓枠１および障子２に取り付けられた各滑車に順次に掛けまわされる。本実施例では、障子２に取り付けられた右側の滑車８２に掛けまわされた後、窓枠１に取り付けられた滑車８３に掛けまわされ、さらに、障子２に取り付けられた左側の滑車８１に掛けまわされ、ワイヤＷの先端部は、窓枠１に固定されている。
具体的には、図３に示す平面視において、アウター７７から延出したワイヤＷは、その張力が障子２を閉じる方向に作用するように、上框１１の右側の滑車８２から、窓枠１の上枠５の滑車８３に、さらに上框１１の左側の滑車８１に掛けまわされて、その先端部が窓枠１に固定される。
【００５３】
次に、本実施例の窓の開閉操作装置の動作について説明する。
ワイヤ巻取ドラム５０にワイヤＷが巻き取られた状態では、ワイヤＷの張力によって障子２が、一対のダンパ１５の付勢力に抗して、窓枠１の開口部を閉塞する。
ここで、操作者が巻き上げ解除手段５８のロープＬの把手６２を引くと、左の回動歯車４１の短軸３９が下方に移動するので、左の回動歯車４１とワイヤ巻取ドラム５０のギヤ５２ａとの噛合が外れる。すると、ワイヤ巻取ドラム５０がフリーな状態となり、ワイヤＷがダンパ１５の付勢力により引っ張られて繰り出され、障子２がダンパ１５の制動されたロッドの突出力によって徐々に開いてゆく。このとき、ブレーキ機構５３の制動部材５５，５６が引張バネ５７の引っ張り力に勝り、制動部材５５，５６の制動面５５ｄ，５６ｄがブレーキ部材５４の内周面５４ａに接触する。
このため、ワイヤ巻取ドラム５０の不測の高速回転が抑制され、ワイヤ巻取ドラム５０にワイヤＷが巻き込まれることなく障子の開放が行われる。
そして、図１および図４に示すように、障子２が所定まで開放されると、ブラケットＢ２（Ｂ１）に対するダンパ１５のそれ以上の回転が規制される。これにより、障子２の所定以上の開放が防止される。
なお、障子２の開放角度は、予め障子の寸法などに応じて、ダンパの種類やその取付金具（ブラケット）の寸法、またダンパの取付位置等により適宜決めることができる。
【００５４】
障子２を閉めるときは、操作者が、図１０においてケース２２の左側に垂れたボールチェーン２７を引っ張り（矢印方向）、チェーンホイール２６を図１０において左回転させる。これに伴い、駆動軸３０が左回転し（反時計方向）、駆動歯車３２に噛合する主伝達歯車３５および副伝達歯車３６が連動して右回転する（図８参照）。
そして、この副伝達歯車３６の回転に、左右の回動歯車４１，４２が連動するが、この際、バネワッシャ２１１，２２１による摩擦抵抗のために回動歯車４１が回転するのに先立って回動リンク板３８が、副伝達歯車３６の回転方向（時計方向）に回動する。
すると、ワイヤ巻取ドラム５０のギヤ５２ａに左の回動歯車４１が噛合して、このワイヤ巻取ドラム５０が連動する（時計方向）。これにより、ワイヤＷが漸次巻き取られ、ダンパ１５の付勢力に勝ってワイヤＷが引っ張られることから、障子２が徐々に閉まってゆく。
本実施例では、障子２が窓枠１の開口部を閉塞した時点、またはその途中でボールチェーン２７の操作を止めたとき、回転方向規制機構４５を構成するクラッチ部材４６の左側爪部４６ａが、爪歯車３１の爪歯３１ａに噛合して逆転防止機能が働いているので、駆動歯車３２の時計方向の回転が規制される。よって、ワイヤ巻取ドラム５０が停止し、逆回転することがなく、窓の閉塞状態が保たれ、途中で操作を止めても障子２は開かない。なお、ホルダー２８にチェーンホイール２６の上部を覆うガード２９を一体形成していることで、ボールチェーン２７を操作するときにボールチェーン２７がチェーンホイール２６から離脱することを防止できる。
【００５５】
本実施例の窓の開閉操作装置は、装置本体２１が障子２に取り付けられるため、排煙窓が建物に取り付けられる際に、予め排煙窓に取り付けておくことが可能である。
つまり、排煙窓を建物の壁の開口部に取り付ける前に、予め窓の製造工場や組立工場などで、本実施例の窓の開閉操作装置を窓に取り付けておくことができる。これにより、建物の建設現場では、窓を取り付けるだけで、窓の開閉操作装置も取り付けられることになり作業が簡単である。
このように、本実施例の窓の開閉操作装置は、窓と一体としたユニットとすることができ、建設現場において窓を取り付ける作業だけで済み、煩わしい壁面の工事が不要であり、壁面工事を待たずに取り付けを完了することができる。しかも、工場などで予め窓に取り付けておくことができるので、取付精度を高めることができると共に、均一化を図ることができ、安定した作動が得られる。
【００５６】
また、本実施例では、障子２に形成されるワイヤＷ導出用の穴２ａをケース７５により覆っていることで、雨水や風が室内へ入ってくることがない。さらに、本実施例では、装置本体２１、障子の穴２ａ、および転向滑車７４が前後方向（室内外方向）に沿って配置され、装置本体２１から導出されるワイヤＷを転向滑車７４に掛けまわすまでの間に屈曲部がなく、作動がスムーズで耐久性に優れる。
【００５７】
また、本実施例では、障子２が閉じられた状態において、転向滑車７４および滑車８１，８２，８３が、窓枠１の内周部と障子２の外周部との間に配置され、いわゆる隠蔽式の窓の開閉操作装置とされる。
【００５８】
次に、本実施例の窓の開閉操作装置が、外倒し式の排煙窓に適用される場合について説明する。なお、上述した部材と同じものには同じ符号を付して説明する。
【００５９】
図１３〜図１５は、本発明の窓の開閉操作装置の一実施例の使用状態を示す図であり、外倒し式排煙窓への取付状態を示しており、図１３は、障子が閉じられた状態の縦断面図、図１４は、その横断面図であり、図１５は、障子が開放した状態を示す縦断面図である。
【００６０】
外倒し式の排煙窓は、建物などの壁の開口部に固定される矩形枠状の窓枠１０１と、この窓枠１０１に回転可能に保持される矩形板状の障子１０２とを有する。
具体的には、窓枠１０１は、左右に離間して配置される一対の縦枠１０３，１０４と、この縦枠１０３，１０４の上端部同士を連結する上枠１０５と、縦枠１０３，１０４の下端部同士を連結する下枠１０６とを有する。
また、上枠１０５は、左右方向（窓の幅方向）に沿って配置される矩形板状の水平片１０５ａと、この水平片１０５ａの室内側端部から下方へ延出する延出片１０５ｂとを有する。
さらに、各縦枠１０３，１０４は、上下方向に沿って配置される矩形板状の垂直片１０３ａ，１０４ａと、この垂直片１０３ａ，１０４ａの室内側端部から左右方向内側へ延出する延出片１０３ｂ，１０４ｂとを有し、上枠１０５の水平片１０５ａと各縦枠１０３，１０４の垂直片１０３ａ，１０４ａ、および上枠１０５の延出片１０５ｂと各縦枠１０３，１０４の延出片１０３ｂ，１０４ｂは連続して設けられている。
【００６１】
障子１０２は、矩形枠状の框１０７を有し、この框１０７は、左右に離間して配置される一対の縦框１０９，１１０と、この縦框１０９，１１０の上端部同士を連結する上框１１１と、縦框１０９，１１０の下端部同士を連結する下框１１２とを有する。
また、上框１１１は、左右方向に沿って配置される矩形板状の水平片１１１ａと、この水平片１１１ａの室外側端部から上方へ延出する延出片１１１ｂとを有する。
さらに、各縦框１０９，１１０は、上下方向に沿って配置される矩形板状の垂直片１０９ａ，１１０ａと、この垂直片１０９ａ，１１０ａの室外側端部から左右方向外側へ延出する延出片１０９ｂ，１１０ｂとを有し、上框１１１の水平片１１１ａと各縦框１０９，１１０の垂直片１０９ａ，１１０ａ、および上框１１１の延出片１１１ｂと各縦框１０９，１１０の延出片１０９ｂ，１１０ｂは連続して設けられている。
そして、框１０７の中央開口部には、ガラス板１０８がはめ込まれている。
【００６２】
障子１０２は、その下框１１２が、窓枠１０１の下枠１０６にヒンジ部Ｈにより回転可能に保持されており、閉じられた状態から室外側へ傾倒可能とされる。
また、窓枠１０１には、パッキンＰが環状に設けられており、障子２が閉じられた際に、障子２の水平片１１１ａおよび垂直片１０９ａ，１１０ａの室内側端部がパッキンＰに当接することで、水密性や気密性が保たれる。
【００６３】
このような構成の排煙窓は、窓枠１０１の開口部を閉鎖するように障子１０２が配置されて窓が閉じられた状態において、障子１０２の上框１１１と窓枠１０１の上枠１０５との間、および障子１０２の各縦框１０９，１１０と窓枠１０１の各縦枠１０３，１０４との間に空間部がそれぞれ形成される。
つまり、障子１０２が閉じられた状態では、図１３に示すように、障子１０２の上框１１１の水平片１１１ａ、上框１１１の延出片１１１ｂ、窓枠１０１の上枠１０５の水平片１０５ａ、および上枠１０５の延出片１０５ｂにより囲まれた矩形状の空間部が左右方向（窓の幅方向）に沿って現出する。また、障子１０２が閉じられた状態では、図１４に示すように、障子１０２の縦框１０９，１１０の垂直片１０９ａ，１１０ａ、縦框１０９，１１０の延出片１０９ｂ，１１０ｂ、窓枠１０１の縦枠１０３，１０４の垂直片１０３ａ，１０４ａ、および縦枠１０３，１０４の延出片１０３ｂ，１０４ｂにより囲まれた矩形状の空間部が上下方向に沿って現出する。
このように、障子１０２が閉じられた状態において、障子１０２の上框１１１と窓枠１０１の上枠１０５との間、および障子１０２の各縦框１０９，１１０と窓枠１０１の各縦枠１０３，１０４との間に空間部がそれぞれ形成され、これらの各空間部は連続している。
【００６４】
本実施例の外倒し式の排煙窓には、窓枠１０１に対して障子１０２を開放させる機構としてダンパ１１５が設けられている。ダンパ１１５は、シリンダ１１６とロッド１１７とからなり、排煙窓の左右両側にそれぞれ取り付けられている。この際、シリンダ１１６の上端部が障子１０２の縦框１０９，１１０に設けられたブラケットＢ１に回転可能に取り付けられ、ロッド１１７の下端部が窓枠１０１の縦枠１０３，１０４に設けられたブラケットＢ２に回転可能に取り付けられる。
【００６５】
本実施例の窓の開閉操作装置が、外倒し式の排煙窓に適用される場合、装置本体２１は、取付部材１２０を介して窓枠１０１の右縦枠１０４の上端部に固定される。
【００６６】
取付部材１２０は、矩形状の板片を屈曲して形成された略Ｌ字形材とされ、窓枠１０１の右縦枠１０４の延出片１０４ｂの室内側上端部に固定される矩形板状の一片１２１と、この一片１２１の右端部から室内側へ延出する矩形板状の他片１２２とを有する。
【００６７】
装置本体２１は、そのドラム５０の軸５００が窓の幅方向（図１４において左右方向）に沿うように配置されて、取付部材１２０の他片１２２に固定される。
つまり、装置本体２１のベース２３の底面２３ａが、図１４において、取付部材１２０の他片１２２の左端面に当接されて、取付部材１２０にネジにより固定される。
【００６８】
本実施例の窓の開閉操作装置が外倒し式の排煙窓に適用される場合、転向滑車７４は、装置本体２１と前後に離間して窓枠１０１に設けられる。
転向滑車７４は、内倒し式の排煙窓の場合と同様に、ケース７５内に回転可能に保持されており、ケース７５の一側面が、上枠１０５の延出片１０５ｂの右端部室外側面に当接されてネジにより窓枠１０１に固定されている。この際、図１４に示すように、滑車７４の回転軸７６が上下方向に沿うように、ケース７５が窓枠１０１に取り付けられ、アウター７７の他端部は図１４において左側へ延出している。
【００６９】
本実施例の窓の開閉操作装置が外倒し式の排煙窓に適用される場合、上框１１１の左右方向略中央部に滑車１２５が一つ設けられ、上枠１０５の左右方向中央部より若干右側に１２７が設けられる。そして、上框１１１の滑車１２５と上枠１０５の滑車１２７は、図１４に示すように、障子１０２が閉じられた際、左右に離間して配置される。
【００７０】
これらの各滑車１２５，１２７は、内倒し式排煙窓の場合と同様の構成とされ、各滑車１２５，１２７は、保持部材１３１の軸部１３４の軸線が窓の幅方向（図１４において左右方向）に沿うように、ベース１３３が上框１１１の延出片１１１ｂの室内側面または上枠１０５の延出片１０５ｂの室外側面に固定されて設けられる。
【００７１】
装置本体２１のドラムに巻かれたワイヤＷは、上枠１０５の延出片１０５ｂの右端部に、前後方向（室内外方向）に沿って形成された貫通穴１０１ａに通される。さらにワイヤＷは、窓枠１０１の貫通穴１０１ａと連通するケース７５の一側面の貫通穴７５ａに通されて、転向滑車７４に掛けまわされる。なお、取付部材１２０の一片１２１にも窓枠１０１の貫通穴１０１ａに対応した位置に貫通穴が形成されており、ワイヤＷはこの貫通穴に通される。
【００７２】
転向滑車７４に掛けまわされたワイヤＷは、ケース７５に設けられたアウター７７に通されて、図１４において、左側へ導出される。
そして、アウター７７から延出したワイヤＷは、図１４に示す状態において、窓枠１０１に取り付けられた滑車１２７に掛けまわされた後、障子１０２に取り付けられた滑車１２５に掛けまわされ、その先端部が窓枠１０１に固定されている。
【００７３】
このように、本実施例の窓の開閉操作装置が取り付けられた外倒し式の排煙窓は、内倒し式の排煙窓の場合と同様に、ワイヤ巻取ドラム５０にワイヤＷが巻き取られ、窓枠１０１の開口部が障子１０２で閉塞された状態にあるときは、一対のダンパ１１５が押し開く方向の弾発力を保持している。
ここで、操作者が巻き上げ解除手段５８のロープＬの把手６２を引くと、内倒し式の排煙窓の場合と同様に、左回動歯車４１の短軸３９が下方に移動するので、左回動歯車４１とワイヤ巻取ドラム５０のギヤ５２ａとの噛合が外れる。
すると、ワイヤ巻取ドラム５０がフリーな状態となり、ワイヤＷがダンパ１１５の弾発力により引っ張られて繰り出され、障子１０２がダンパ１１５の制動されたロッドの突出力によって徐々に開いていき、図１５に示すように、障子１０２が傾斜状態で停止し、排煙窓の障子が開放される。
【００７４】
また、障子１０２を閉めるときは、操作者が、図１０においてケース２２の左側に垂れたボールチェーン２７を引っ張り（図１０の矢印方向）、チェーンホイール２６を図１０において左回転させることで、内倒し式の排煙窓の場合と同様に、ワイヤＷが漸次巻き取られ、ダンパ１１５の弾発力に勝って障子１０２が引っ張られることから、障子１０２が徐々に閉まってゆき、窓枠の開口部を閉塞した時点でボールチェーン２７の操作を止めればよい。
【００７５】
つぎに、本実施例の窓の開閉操作装置が、突出し式の排煙窓に適用される場合について説明する。なお、上述した部材と同じ部材には、同じ符号を付して説明する。
【００７６】
図１６〜図１９は、本発明の窓の開閉操作装置の一実施例の使用状態を示す図であり、突出し式排煙窓への取付状態を示しており、図１６は、障子が開いた状態の概略斜視図、図１７は、障子が閉じられた状態の縦断面図、図１８は、障子が開いた状態の縦断面図、図１９は、図１８の平面図である。
【００７７】
突出し式の排煙窓は、建物などの壁の開口部に固定される矩形枠状の窓枠１５１と、この窓枠１５１に回転可能に保持される矩形板状の障子１５２とを有する。
窓枠１５１は、左右に離間して配置される縦枠１５３，１５４と、この縦枠１５３，１５４の上端部同士を連結する上枠１５５と、縦枠１５３，１５４の下端部同士を連結する下枠１５６とを有する。
【００７８】
上枠１５５は、左右方向に沿って配置される矩形板状の水平片１５５ａと、この水平片１５５ａの室内側端部から下方へ延出する延出片１５５ｂとを有する。
また、各縦枠１５３，１５４は、上下方向に沿って配置される矩形板状の垂直片１５４ａと、この垂直片１５４ａの室内側端部から左右方向内側へ延出する延出片１５４ｂとを有する。さらに、下枠１５６は、左右方向に沿って配置される矩形板状の水平片１５６ａと、この水平片１５６ａの中途部から上方へ延出する延出片１５６ｂとを有する。
【００７９】
障子１５２は、矩形枠状の框１５７を有し、この框１５７は、左右に離間して配置される縦框１５９，１６０と、この縦框１５９，１６０の上端部同士を連結する上框１６１と、縦框１５９，１６０の下端部同士を連結する下框１６２とを有する。
上框１６１は、左右方向に沿って配置される矩形板状の水平片１６１ａと、この水平片１６１ａの室外側端部から上方へ突出する延出片１６１ｂとを有する。
また、各縦框１５９，１６０は、上下方向に沿って配置される矩形板状の垂直片１６０ａと、この垂直片１６０ａの室外側端部から左右方向外側へ突出する延出片１６０ｂとを有する。さらに、下框１６２は、左右方向に沿って配置される矩形板状の水平片１６２ａと、この水平片１６２ａの室外側端部から下方へ突出する延出片１６２ｂとを有する。
そして、框１５７の中央開口部には、ガラス板１５８がはめ込まれている。
【００８０】
障子１５２は、その上框１６１が、窓枠１５１の上枠１５５にヒンジ部Ｈにより回転可能に保持されており、閉じられた状態から室外側へ傾倒可能とされる。
また、窓枠１５１には、パッキンＰが環状に設けられており、障子１５２が閉じられた際に、障子１５２の室内側端部がパッキンＰに当接することで、水密性や気密性が保たれる。
【００８１】
このような構成の本実施例の排煙窓は、窓枠１５１の開口部を閉鎖するように障子１５２が配置されて窓が閉じられた状態において、障子１５２の上框１６１と窓枠１５１の上枠１５５との間、障子１５２の縦框１５９，１６０と窓枠１５１の縦枠１５３，１５４との間、および障子１５２の下框１６２と窓枠１５１の下枠１５６との間に隙間が形成される。
つまり、障子１５２が閉じられた状態では、図１７に示すように、障子１５２の上框１６１の水平片１６１ａ、上框１６１の延出片１６１ｂ、窓枠１５１の上枠１５５の水平片１５５ａ、および上枠１５５の延出片１５５ｂにより囲まれた矩形状の空間部が左右方向（窓の幅方向）に沿って現出する。また、障子１５２が閉じられた状態では、障子１５２の縦框１５９，１６０の垂直片１６０ａ、縦框１５９，１６０の延出片１６０ｂ、窓枠１５１の縦枠１５３，１５４の垂直片１５４ａ、および縦枠１５３，１５４の延出片１５４ｂにより囲まれた矩形状の空間部が上下方向に沿って現出し、障子１５２の下框１６２の水平片１６２ａ、下框１６２の延出片１６２ｂ、窓枠１５１の下枠１５６の水平片１５６ａ、および下枠１５６の延出片１５６ｂにより囲まれた矩形状の空間部が左右方向に沿って現出する。
このように、障子が閉じられた状態において、障子１５２の上框１６１と窓枠１５１の上枠１５５との間、障子１５２の縦框１５９，１６０と窓枠１５１の縦枠１５３，１５４との間、および障子１５２の下框１６２と窓枠１５１の下枠１５６との間に空間部が形成され、これらの各空間部は連続している。
【００８２】
本実施例の排煙窓には、窓枠１５１に対して障子１５２を開放させる機構としてダンパ１７０が設けられている。
ダンパ１７０は、シリンダ１７１とロッド１７２とからなり、ダンパ１７０は、排煙窓の左右両側にそれぞれ取り付けられる。本実施例では、シリンダ１７１の上端部が縦枠１５３，１５４に設けられたブラケットＢ１に回転可能に取り付けられ、ロッド１７２の下端部が障子１５２の縦框１５９，１６０に設けられたブラケットＢ２に回転可能に取り付けられている。
【００８３】
本実施例の窓の開閉操作装置が、突出し式の排煙窓に適用される場合、装置本体２１は取付部材１７５を介して窓枠１５１の右縦枠１５４に固定される。
【００８４】
取付部材１７５は、矩形状の板片を屈曲して形成された略Ｌ字形材とされ、右縦枠１５４の延出片１５４ｂの上端部室内側面に固定される矩形板状の一片１７６と、この一片１７６の右端部から室内側へ延出する矩形板状の他片１７７とを有する。
【００８５】
装置本体２１は、そのドラム５０の軸５００が窓の幅方向（図１９において左右方向）に沿うように配置されて、取付部材１７５の他片１７７に固定される。
つまり、装置本体２１のベース２３の底面２３ａが、図１９において取付部材１７５の他片１７７の左端面に当接されて、取付部材１７５にネジにより固定される。
【００８６】
本実施例では、転向滑車７４は、窓枠１５１に装置本体と前後に隣接して設けられる。
転向滑車７４は、内倒し式排煙窓の場合と同様に、ケース７５内に回転可能に保持されており、このケース７５が窓枠１５１に設けられる。
ケース７５は、その一側面が、窓枠１５１の右縦枠１５４の延出片１５４ｂの上端部室外側面に当接されて固定される。
この際、滑車７４の回転軸が左右方向（窓の幅方向）に沿うようにケース７５が窓枠１５１に取り付けられ、アウター７７は下方へ延出している。
【００８７】
そして、本実施例の窓の開閉操作装置が、突出し式排煙窓に適用される場合、下枠１５６の右端部に補助転向滑車１８１が一つ設けられ、下枠１５６の左右方向中央部に二つの滑車１８２，１８３が左右に離間して設けられる。
本実施例では、補助転向滑車１８１は、転向滑車７４のほぼ真下に配置され、転向滑車７４から垂下方向に導出されたワイヤＷを水平方向に転向して滑車１８３へ案内する。
また、本実施例では、障子１５２の下框１６２の左右方向中央部に、二つの滑車１８４，１８５が左右に離間して設けられており、障子１５２が閉じられた状態において、下枠の二つ滑車１８２，１８３の間に下框１６２の二つの滑車１８４，１８５が配置される。
【００８８】
これらの各滑車１８１〜１８５は、内倒し式排煙窓の場合と同様の構成とされ、保持部材１３１のベース１３３が下枠１５６の水平片１５６ａおよび延出片１５６ｂの室外側面、下框１６２の延出片１６２ｂの室内側面に固定されて設けられている。
【００８９】
この際、下枠１５６の右端部に設けられる補助転向滑車１８１、および下枠１５６に設けられる他の二つの滑車１８２，１８３は、保持部材１３１の軸部１３４が、図１６において左右方向（窓の幅方向）に沿うように設けられ、下框１６２に設けられる二つの滑車１８４，１８５は、障子が閉じられた状態において、保持部材１３１の軸部１３４が左右方向に沿うように設けられる。
【００９０】
装置本体２１のドラムに巻かれたワイヤＷは、右縦枠１５４の延出片１５４ｂの上端部に前後方向（室内外方向）に沿って形成された貫通穴およびケース７５の貫通穴７５ａに通されて転向滑車７４に掛けまわされる。なお、取付部材１７５の一片１７６にも貫通穴が形成されており、ワイヤＷはこの貫通穴に通されている。
【００９１】
図１６および図１８に示すように、転向滑車７４に掛けまわされたワイヤＷは、アウター７７に通されて、ケース７５から下方へ導出され、下枠１５６に設けられた補助転向滑車１８１に、時計まわりに掛けまわされて左側へ延出する。
そして、下枠１５６の滑車１８３に時計まわりに掛けまわされ、下框１６２の右側の滑車１８５に反時計まわりに掛けまわされて左側へ延出し、下框１６２の左側の滑車１８４に反時計まわりに掛けまわされた後、下枠の滑車１８２に時計まわりに掛けまわされる。そして、そのワイヤＷの先端部は、保持部材１３１の軸部１３４から外方へ導出されて、ワイヤＷの先端部に抜け止め具（圧着端子など）が取り付けられる。これにより、ワイヤＷの先端部は、保持部材１３１の軸部１３４から抜け出すことがなく、保持部材１３１に係止され、ひいては下枠１５６に保持される。
【００９２】
このように、本実施例の窓の開閉操作装置が取り付けられた突出し式の排煙窓は、内倒し式の排煙窓の場合と同様に、ワイヤ巻取ドラム５０にワイヤＷが巻き取られると、一対のダンパ１７０の押し開く方向の弾発力に抗して、窓枠１５１の開口部が障子１５２で閉塞される。
そして、この閉塞状態において操作者が巻き上げ解除手段５８のロープＬの把手６２を引くと、左回動歯車４１の短軸３９が下方に移動するので、左回動歯車４１とワイヤ巻取ドラム５０のギヤ５２ａとの噛合が外れる。
すると、ワイヤ巻取ドラム５０がフリーな状態となり、ワイヤＷがダンパ１７０の弾発力により引っ張られて繰り出され、障子がダンパ１７０の制動されたロッド１７２の突出力によって徐々に開いてゆき、図１６や図１８に示すように、障子が傾斜状態で停止し、排煙窓が開放される。
【００９３】
障子を閉めるときは、操作者が、装置本体２１の下方に垂れたエンドレスのボールチェーン２７を引っ張り（図１０において矢印方向）、チェーンホイール２６を図１０において左回転させることで、ワイヤ巻取ドラム５０が連動して（時計方向）、ワイヤＷが漸次巻き取られ、ダンパ１７０の弾発力に勝って障子が引っ張られることから、この障子が徐々に閉まってゆき、窓枠の開口部を閉塞した時点でボールチェーン２７の操作を止めればよい。
【００９４】
本実施例の窓の開閉操作装置を外倒し式排煙窓または突出し式排煙窓に適用する場合、上述したように、装置本体２１が窓枠に取り付けられるため、排煙窓が建物に取り付けられる際に、予め排煙窓に取り付けておくことが可能である。よって、内倒し式排煙窓の場合と同様に、窓と開閉操作装置を一体としたユニットとすることができ、建物に排煙窓が取り付けられることで、窓の開閉操作装置も取り付けられることになる。また、窓枠に形成される穴をケース７５により覆っていることで、雨水や風が室内へ入ってくることがない。さらに、本実施例では、装置本体２１、窓枠の穴、および転向滑車７４が前後方向（室内外方向）に沿って配置され、装置本体２１から導出されるワイヤＷを転向滑車７４に掛けまわすまでの間に屈曲部がなく、スムーズに作動し耐久性に優れる。また、障子が閉じられた状態において、転向滑車７４および各滑車が、窓枠と障子との間の空間部に配置され、いわゆる隠蔽式の窓の開閉操作装置を提供できる。
【００９５】
図２０および図２１は、図１〜図６に示す窓の開閉操作装置の変形例を示す図であり、図２０は縦断面図、図２１は横断面図である。なお、上述した部材には、同じ符号を付して説明し、異なる部分を中心に説明する。
【００９６】
図１および図２に示す窓の開閉操作装置では、障子２にワイヤＷを通す穴２ａが形成されており、転向滑車７４を収容するケース７５によりこの穴２ａを室外側から覆うことで雨風の室内への進入を防止したが、それに変えて、図２０および図２１に示す変形例では、障子２に形成された穴２ａを室内側からワイヤ誘導部材２４５により覆うことで雨風の室内への進入を防止する。なお、本変形例においては、転向滑車７４は、図２０に示すように、ケース７８に保持された軸７６に回転可能に保持されており、このケース７８のフランジ７８ａが上框１１の延出片１１ｂにネジ（不図示）で固定されている。
【００９７】
ワイヤ誘導部材２４５は、矩形中空状のボックス２５０の内部に４つのローラ２５１，２５２，２５３，２５４が設けられて構成される。
具体的には、ボックス２５０内には、回転軸を上下方向に沿って配置された一対のローラ２５１，２５２が左右（窓の幅方向）に離間して配置され、この一対のローラ２５１，２５２の室内側に回転軸を左右方向に沿って配置された一対のローラ２５３，２５４が上下に離間して配置されている。各ローラ２５１，２５２，２５３，２５４は、その軸方向中央部が若干縮径しており、両側の大径部が隣接するローラと近接または当接するようにボックス２５０内に設けられる。
本変形例では、これら各ローラ２５１，２５２，２５３，２５４の軸２５１ａ，２５２ａ，２５３ａ，２５４ａの両端部は、ボックス２５０内にはめ込まれた室内側へ開口する矩形中空状の支持部材２５５の側壁に回転可能にそれぞれ保持されている。また、ボックス２５０の室外側端部には、左右方向（窓の幅方向）外側へ延出してフランジ２５０ｃが形成されている。
【００９８】
ボックス２５０の室外側面の中央部および室内側面の中央部にはそれぞれワイヤＷが通される貫通穴２５０ａ，２５０ｂが形成されている。また、支持部材２５５の室外側面にもワイヤＷが通される貫通穴２５５ａが形成されている。
さらに、ボックス２５０には、ボックス２５０の室外側面と支持部材２５５との間に、ゴム等の弾性部材によりなる気密部材２５７が配置されている。気密部材２５７は、その中央部２５８が室外側へボス状に突出しており、ボックス２５０の室外側面の貫通穴２５０ａに差し込まれている。そして、気密部材２５７の中央部２５８には前後方向（室内外方向）に沿って貫通穴２５８ａが形成されている。
【００９９】
ワイヤ誘導部材２４５は、ボックス２５０の室外側端部が、障子２の上框１１の延出片１１ｂの室内側面に当接されてネジで固定される。
この際、ボックス２５０の室外側面の貫通穴２５０ａが、障子２の貫通穴２ａと連通するように取り付けられる。
このように、ワイヤ誘導部材２４５が取り付けられた状態において、装置本体２１から導出されたワイヤＷは、ボックス２５０の室内側面の貫通穴２５０ｂに通され後、一対のローラ２５３，２５４間、およびもう一方の一対のローラ２５１，２５２間に通され、さらに、気密部材２５７の貫通穴２５８ａに通されて、障子２の貫通穴２ａに通される。
そして、障子２に設けられた転向滑車７４に掛けまわされる。なお、本変形例では、ワイヤＷは、各ローラ２５１，２５２，２５３，２５４の軸方向中央部の縮径部に通されて、ボックス２５０内を通過している。
【０１００】
このように、障子２の貫通穴２ａをワイヤ誘導部材２４５により室内側から覆うことで、障子２の貫通穴２ａから雨風の進入を防ぐことができる。
また、本変形例では、気密部材２５７によって気密性が更に高くなり、外気や雨水がボックス２５０内に、更には室内へ入ることを防ぐことができる。
【０１０１】
さらに、このワイヤ誘導部材２４５の変形例として、図２２に示すように、ボックス２５０の前後方向中央部（室内外方向中央部）にフランジ２５０ｃを形成すると共に、障子２の貫通穴２ａをボックス２５０がはめ込み可能な大きさとし、ボックス２５０を、その前後方向中央部まで障子２の上框１１の延出片１１ｂから室外側へはめ込む構成としてもよい。
【０１０２】
次に、ワイヤ誘導部材のさらに別の変形例について説明する。
図２３および図２４は、ワイヤ誘導部材の別の変形例を示す図であり、図２３は縦断面図、図２４はその横断面図である。
【０１０３】
本変形例のワイヤ誘導部材２７０は、基本的には、図２０および図２１に示すワイヤ誘導部材２４５と同様の構成であり、同じ部材には同じ符号を付して、異なる部分を中心に説明する。なお、本変形例のワイヤ誘導部材２７０を使用する場合には、装置本体２１が若干下方に取り付けられ、ワイヤＷは、装置本体２１の上部から導出される。
【０１０４】
本変形例のワイヤ誘導部材２７０では、ボックス２５０内に回転軸を上下に沿って配置される一対のローラ２５１，２５２が配置される。そして、このローラ２５１，２５２の回転軸２５１ａ，２５２ａを回転可能に保持する室内側へ開口するコ字形の支持部材２８３がボックス２５０内に設けられている。本変形例では、このボックス２５０の室内側端部を覆うように、カバー２７７が設けられる。
【０１０５】
カバー２７７は、前後方向（室内外方向）に細長い下方へ開口するコ字形状とされると共に、室内側端部が緩やかな円弧状に下方へ屈曲しており、その室外側端部内にボックス２５０がはめ込まれて設けられる。
そして、カバー２７７の室内側端部の内部には、回転軸２７５ａを左右方向（窓の幅方向）に沿って配置された滑車２７５が配置されており、回転軸２７５ａはカバー２７７の開放両端片に回転可能に保持されている。
【０１０６】
装置本体２１から上方へ導出されたワイヤＷは、カバー２７７に保持された滑車２７５に掛けまわされて室外側へ延出し、一対のローラ２５１，２５２間に通された後、気密部材２５７の貫通穴２５８ａを通されて、障子２の穴２ａに通される。そして、ワイヤＷは転向滑車７４に掛けまわされる。
【０１０７】
なお、前記各ワイヤ誘導部材２４５，２７０は、外倒し式排煙窓や突出し式排煙窓の場合にも適用可能であり、その場合には、窓枠に取り付けられて使用される。
【０１０８】
本発明の窓の開閉操作装置は、上記実施例の構成に限らず、適宜変更可能である。
たとえば、上記実施例では、排煙窓が一つの場合を説明したが、複数個の排煙窓が連続して設けられる場合にも適用可能である。この場合、たとえば、図１６に示す状態において、ワイヤＷの先端部に抜け止め具を付けずに、隣接する窓の滑車に掛けまわしていけばよい。つまり、ワイヤＷの先端部を隣接する排煙窓の滑車に掛けまわしていくことで、複数の窓（連窓）が連動して開閉操作可能となる。
【０１０９】
また、滑車の個数や取付位置などは適宜変更可能である。たとえば、図１６において、障子１５２に二つの滑車１８４，１８５を設けたが、障子１５２の幅寸法が小さい場合には、障子１５２の左右方向略中央部に滑車を一つ設ける構成でもよい。
【０１１０】
また、上記実施例では、装置本体２１を右縦框または右縦枠に取り付けたが、左縦框または左縦枠に取り付けるようにしてもよい。
この際、図９に示す状態からクラッチ部材４６を時計方向に回動させ、右側爪部４６ｂを爪歯３１ａに噛合させて、ドラム５０の回転の規制を逆にする。また、アングル５９を右の回動歯車４２の短軸４０に取り付ける。これにより、図１０において、ボールチェーン２７の右側を下方へ引くことで、ドラム５０が反時計方向に回転してワイヤＷが巻き取られて障子が閉じられる。
【０１１１】
さらに、装置本体２１の構造も適宜変更である。つまり、ワイヤを巻き取りおよび繰り出し可能なドラムを有し、かつ、ドラムの回転を規制することが可能な構成であればよい。
【０１１２】
また、上記実施例では、本発明の窓の開閉操作装置が、内倒し式、外倒し式、および突出し式の排煙窓に適用される場合について説明したが、横開き式の窓にも適用可能である。横開き式の排煙窓は、障子の左右一端辺が、窓枠の左右一端辺に回転可能に保持され、障子を閉じた状態から室内側または室外側へ傾けて開放するものであり、上記実施例と同様に、障子または窓枠に装置本体２１を取り付けて使用することができる。
【０１１３】
また、内倒し式や外倒し式の排煙窓に使用されるダンパを隠蔽する構成としてもよい。つまり、障子が閉じられた状態において、窓枠の縦枠と障子の縦框との間に形成される空間部にダンパが収容される構成としてもよい。
たとえば、図１〜図６に示す内倒し式の排煙窓においてダンパを隠蔽式とする場合、図２５に示すように、窓枠１の縦枠３，４と障子２の縦框９，１０との間に形成される空間部にダンパ１５を配置する。そして、シリンダ１６の上端部を、障子２の縦框９，１０の垂直片９ａに固定されたブラケットＢ１に回転可能に取り付け、ロッド１７の下端部を、窓枠１の縦枠３，４の垂直片３ａ，４ａに固定されたブラケットＢ２に回転可能に取り付ければよい。
【０１１４】
さらに、上記実施例では、障子の框にガラス板をはめ込んだが、ガラス板に換えて金属板などをはめ込んでもよい。
なお、本実施例の窓の開閉操作装置が、既設の窓に適用可能なことはいうまでもない。
【図面の簡単な説明】
【０１１５】
【図１】本発明の窓の開閉操作装置の一実施例の使用状態を示す概略斜視図であり、内倒し式排煙窓への取付状態を示すと共に、障子が開放した状態を示している。
【図２】図１の窓の開閉操作装置が設けられた排煙窓の縦断面図であり、障子が閉じられた状態を示している。
【図３】図２の横断面図である。
【図４】図２の状態から障子が開放した状態を示す縦断面図である。
【図５】図２の主要部を示す拡大図である。
【図６】図３の主要部を示す拡大図である。
【図７】図１の窓の開閉操作装置の装置本体を示す縦断側面図である。
【図８】図７のＡ−Ａ断面図である。
【図９】図７のＢ−Ｂ断面図である。
【図１０】（ａ）は図７に示す装置本体の正面図であり、（ｂ）はそのＣ―Ｃ断面図であり、一部を省略して示している。
【図１１】図７の装置本体の一部分を示す図である。
【図１２】滑車を示す図であり、（ａ）はその斜視図、（ｂ）は断面図である。
【図１３】図１の窓の開閉操作装置の他の使用状態を示す縦断面図であり、外倒し式排煙窓への取付状態を示すと共に、障子が閉じられた状態を示している。
【図１４】図１３の横断面図である。
【図１５】図１３の状態から障子が開放された状態を示す縦断面図である。
【図１６】図１の窓の開閉操作装置のさらに別の使用状態を示す概略斜視図であり、突出し式排煙窓への取付状態を示すと共に、障子が開いた状態を示している。
【図１７】図１６の突出し式排煙窓の障子が閉じられた状態の縦断面図である。
【図１８】図１６の突出し式排煙窓の障子が開いた状態の縦断面図である。
【図１９】図１８の平面図である。
【図２０】図１〜図６に示す窓の開閉操作装置の変形例を示す縦断面図である。
【図２１】図２０における横断面図である。
【図２２】図２０の窓の開閉操作装置のワイヤ誘導部材の変形例を示す図である。
【図２３】図２０の窓の開閉操作装置の変形例におけるワイヤ誘導部材の別の変形例を示す縦断面図である。
【図２４】図２３における横断面図である。
【図２５】図１〜図６に示す窓の開閉操作装置において、ダンパを隠蔽した例を示す一部を省略した概略図であり、（ａ）は縦断面図、（ｂ）は横断面図である。
【図２６】従来の窓の開閉操作装置を示す図である。
【符号の説明】
【０１１６】
１  窓枠
２  障子
２ａ  貫通穴
２１  装置本体
５０  ドラム
５００  軸
７４  転向滑車
７５  ケース
【図１】
0005290635.tif 000002
【図２】
0005290635.tif 000003
【図３】
0005290635.tif 000004
【図４】
0005290635.tif 000005
【図５】
0005290635.tif 000006
【図６】
0005290635.tif 000007
【図７】
0005290635.tif 000008
【図８】
0005290635.tif 000009
【図９】
0005290635.tif 000010
【図１０】
0005290635.tif 000011
【図１１】
0005290635.tif 000012
【図１２】
0005290635.tif 000013
【図１３】
0005290635.tif 000014
【図１４】
0005290635.tif 000015
【図１５】
0005290635.tif 000016
【図１６】
0005290635.tif 000017
【図１７】
0005290635.tif 000018
【図１８】
0005290635.tif 000019
【図１９】
0005290635.tif 000020
【図２０】
0005290635.tif 000021
【図２１】
0005290635.tif 000022
【図２２】
0005290635.tif 000023
【図２３】
0005290635.tif 000024
【図２４】
0005290635.tif 000025
【図２５】
0005290635.tif 000026
【図２６】
0005290635.tif 000027